(57)【要約】【課題】信頼性の向上が図られた蓄電装置を提供すること。【解決手段】蓄電装置１は、充放電するための負極端子７を有する蓄電モジュールと、蓄電モジュール４に対して充放電される電流を測定するための電流センサユニット５３と、蓄電モジュール４の電圧及び電流を監視する監視基板５１と、を備え、電流センサユニット５３は、負極端子７に直列に接続されたシャント抵抗器６１と、シャント抵抗器６１の両端の電位差を検出する差動増幅回路が搭載された基板部６３と、差動増幅回路の出力信号を監視基板５１に伝達する導電部材６４と、を備える。【選択図】図４
2020161340.tif 000002
【特許請求の範囲】
【請求項１】
蓄電モジュールと、
前記蓄電モジュールに設けられ、前記蓄電モジュールを充放電するための電極端子と、
前記蓄電モジュールに対して充放電される電流を測定する電流センサユニットと、
前記蓄電モジュールの電圧及び前記電流を監視する監視基板と、
を備え、
前記電流センサユニットは、前記電極端子に直列に接続されたシャント抵抗器と、シャント抵抗器の両端の電位差を検出する差動増幅回路が搭載された基板部と、前記差動増幅回路の出力信号を前記監視基板に伝達する導電部材と、を備える、蓄電装置。
【請求項２】
前記監視基板は、前記基板部と向かい合う面を有し、
前記基板部は、前記面の法線方向において前記監視基板と重なり合うように配置され、
前記導電部材は、前記法線方向に沿って延び、
前記導電部材の第１端部は前記基板部に接合され、前記導電部材の第２端部は前記監視基板に接合される、請求項１に記載の蓄電装置。
【請求項３】
前記電流センサユニットは、前記シャント抵抗器と前記電極端子とを接続するバスバーをさらに備える、請求項１又は請求項２に記載の蓄電装置。
【請求項４】
第１方向に沿って前記蓄電モジュールに拘束荷重を付加する拘束部材をさらに備え、
前記監視基板は、前記第１方向と交差する第２方向において前記蓄電モジュールと隣り合うように配置されるとともに、前記拘束部材に固定される、請求項１〜請求項３のいずれか一項に記載の蓄電装置。
【発明の詳細な説明】
【技術分野】
【０００１】
本発明の一側面は、蓄電装置に関する。
【背景技術】
【０００２】
従来の蓄電装置として、複数の二次電池からなる組電池と、二次電池の電圧、電流、及び温度を監視する回路基板と、を備えるバッテリが知られている（特許文献１参照）。特許文献１に記載の蓄電装置では、組電池に直列に接続された抵抗器の両端電圧から二次電池の電流が検出される。
【先行技術文献】
【特許文献】
【０００３】
【特許文献１】特開２０１８−１８９３８４号公報
【発明の概要】
【発明が解決しようとする課題】
【０００４】
抵抗器に電流が流れることによって、抵抗器で熱が発生する。特許文献１に記載の蓄電装置では、抵抗器の端子が回路基板に接続されているので、抵抗器で発生した熱が回路基板に伝わり、回路基板に搭載された他の電子部品の誤動作等を引き起こすおそれがある。
【０００５】
本発明の一側面は、信頼性の向上が図られた蓄電装置を提供することを目的とする。
【課題を解決するための手段】
【０００６】
本発明の一側面に係る蓄電装置は、蓄電モジュールと、蓄電モジュールに設けられ、蓄電モジュールを充放電するための電極端子と、蓄電モジュールに対して充放電される電流を測定する電流センサユニットと、蓄電モジュールの電圧及び電流を監視する監視基板と、を備える。電流センサユニットは、電極端子に直列に接続されたシャント抵抗器と、シャント抵抗器の両端の電位差を検出する差動増幅回路が搭載された基板部と、差動増幅回路の出力信号を監視基板に伝達する導電部材と、を備える。
【０００７】
この蓄電装置では、シャント抵抗器の両端の電位差を検出する差動増幅回路が基板部に搭載され、差動増幅回路の出力信号が監視基板に伝達される。このように、シャント抵抗器は基板部に接続され、監視基板にはシャント抵抗器が直接接続されない。このため、シャント抵抗器と監視基板との間の伝熱経路が長くなるので、シャント抵抗器で発生した熱が監視基板に及ぼす影響を低減することができる。その結果、蓄電装置の信頼性を向上させることが可能となる。
【０００８】
監視基板は、基板部と向かい合う面を有してもよい。基板部は、面の法線方向において監視基板と重なり合うように配置されてもよい。導電部材は、法線方向に沿って延びてもよい。導電部材の第１端部は基板部に接合されてもよく、導電部材の第２端部は監視基板に接合されてもよい。この場合、基板部と監視基板とが、コネクタ等を用いることなく導電部材により直接接続される。このため、コネクタ等の部品が不要となるので、蓄電装置を小型化することが可能となる。
【０００９】
電流センサユニットは、シャント抵抗器と電極端子とを接続するバスバーをさらに備えてもよい。この場合、バスバーの長さ及び形状を調整することで、シャント抵抗器の配置を変えることができる。このため、蓄電装置の設計の自由度を高めることができる。
【００１０】
上記蓄電装置は、第１方向に沿って蓄電モジュールに拘束荷重を付加する拘束部材をさらに備えてもよい。監視基板は、第１方向と交差する第２方向において蓄電モジュールと隣り合うように配置されるとともに、拘束部材に固定されてもよい。この場合、電極端子とシャント抵抗器との距離を短くすることができる。これにより、蓄電装置を小型化することが可能となる。
【発明の効果】
【００１１】
本発明の一側面によれば、蓄電装置の信頼性を向上させることができる。
【図面の簡単な説明】
【００１２】
【図１】図１は、一実施形態に係る蓄電装置を示す概略斜視図である。
【図２】図２は、図１のＩＩ−ＩＩ線に沿った概略断面図である。
【図３】図３は、図１に示された蓄電モジュールの内部構成を示す概略断面図である。
【図４】図４は、図１に示された蓄電装置の概略側面図である。
【図５】図５は、図４のＶ−Ｖ線に沿った概略断面図である。
【図６】図６は、図１に示された蓄電装置の回路構成を示す図である。
【図７】図７は、変形例の蓄電装置の概略側面図である。
【発明を実施するための形態】
【００１３】
以下、添付図面を参照しながら本発明の実施形態が詳細に説明される。図面の説明において、同一又は同等の要素には同一符号が用いられ、重複する説明は省略される。
【００１４】
図１は、一実施形態に係る蓄電装置を示す概略斜視図である。図２は、図１のＩＩ−ＩＩ線に沿った概略断面図である。図１及び図２に示される蓄電装置１は、例えば、フォークリフト、ハイブリッド自動車、又は電気自動車等の各種車両のバッテリとして用いられる。蓄電装置１は、モジュール積層体２と、拘束部材３と、監視装置５０と、を備えている。
【００１５】
モジュール積層体２は、複数（本実施形態では５つ）の蓄電モジュール４と、複数（本実施形態では６つ）の導電板５と、を含む。複数の蓄電モジュール４は、積層方向Ｄ１（第１方向）に沿って積層（配列）されている。蓄電モジュール４は、バイポーラ電池であり、積層方向Ｄ１から見て矩形状を呈している。蓄電モジュール４は、例えばニッケル水素二次電池及びリチウムイオン二次電池等の二次電池、又は電気二重層キャパシタである。以下の説明では、ニッケル水素二次電池を例示する。
【００１６】
積層方向Ｄ１において互いに隣り合う２つの蓄電モジュール４同士は、導電板５を挟持し、導電板５を介して互いに電気的に接続されている。導電板５は、積層方向Ｄ１において互いに隣り合う２つの蓄電モジュール４の間と、積層端に位置する蓄電モジュール４の外側面と、にそれぞれ配置されている。積層下端に位置する蓄電モジュール４の外側面に配置された導電板５には、正極端子６が接続されている。積層上端に位置する蓄電モジュール４の外側面に配置された導電板５には、負極端子７が接続されている。正極端子６及び負極端子７は、例えば導電板５の縁部から積層方向Ｄ１と交差（直交）する方向Ｄ２（第２方向）に引き出されている。正極端子６及び負極端子７により、蓄電装置１の充放電が実施される。つまり、正極端子６及び負極端子７は、蓄電装置１を充放電するための電極端子である。
【００１７】
導電板５には、複数の流路５ａと、複数（本実施形態では、２つ）の溝５ｂと、が設けられている。流路５ａは、空気等の冷媒を流通させるための貫通孔である。流路５ａは、例えば、積層方向Ｄ１と方向Ｄ２とにそれぞれ交差（直交）する方向Ｄ３に導電板５を貫通しており、方向Ｄ３に沿って延在している。複数の流路５ａは方向Ｄ２に沿って配列されている。溝５ｂは、導電板５の方向Ｄ２における両端に設けられている。溝５ｂの数は１つでもよく、この場合、溝５ｂは監視基板５１側の一端にのみ設けられる。溝５ｂは、例えば、方向Ｄ３に導電板５を貫通しており、方向Ｄ３に沿って延在している。積層上端の導電板５と積層下端の導電板５とには、流路５ａが設けられていなくてもよい。
【００１８】
導電板５は、積層方向Ｄ１において互いに向かい合う壁部５ｃ及び壁部５ｄと、壁部５ｃ及び壁部５ｄを連結する複数の隔壁５ｅと、を備えている。隔壁５ｅは、壁部５ｃと壁部５ｄとの間に立設されている。壁部５ｃ、壁部５ｄ、及び複数の隔壁５ｅによって、複数の流路５ａ及び複数の溝５ｂが画成される。
【００１９】
導電板５は、積層方向Ｄ１において互いに隣り合う２つの蓄電モジュール４同士を電気的に接続する接続部材としての機能のほか、これらの流路５ａ及び溝５ｂに冷媒を流通させることにより、蓄電モジュール４で発生した熱を放出する放熱板としての機能を併せ持つ。なお、図１及び図２の例では、積層方向Ｄ１から見た導電板５の面積は、蓄電モジュール４の面積よりも小さいが、放熱性の向上の観点から、導電板５の面積は、蓄電モジュール４の面積と同じであってもよく、蓄電モジュール４の面積よりも大きくてもよい。
【００２０】
拘束部材３は、モジュール積層体２の積層方向Ｄ１に沿ってモジュール積層体２に拘束荷重を付加する部材である。拘束部材３は、モジュール積層体２を積層方向Ｄ１に挟む一対のエンドプレート８と、一対のエンドプレート８同士を締結する締結ボルト９及びナット１０と、を含んでいる。エンドプレート８は、積層方向Ｄ１から見た蓄電モジュール４及び導電板５の面積よりも一回り大きい面積を有する矩形の金属板である。エンドプレート８の内側面には、電気絶縁性を有する絶縁板Ｆが設けられている。絶縁板Ｆにより、エンドプレート８と導電板５との間が絶縁されている。
【００２１】
エンドプレート８の縁部には、モジュール積層体２よりも外側の位置に挿通孔８ａが設けられている。締結ボルト９は、一方のエンドプレート８の挿通孔８ａから他方のエンドプレート８の挿通孔８ａに向かって通され、他方のエンドプレート８の挿通孔８ａから突出した締結ボルト９の先端部分には、ナット１０が螺合されている。これにより、蓄電モジュール４及び導電板５が一対のエンドプレート８によって挟持されてモジュール積層体２としてユニット化されるとともに、積層方向Ｄ１に沿ってモジュール積層体２に拘束荷重が付加される。
【００２２】
監視装置５０は、モジュール積層体２を監視する装置である。例えば、監視装置５０は、複数の蓄電モジュール４の状態を監視する。監視装置５０の詳細については後述する。
【００２３】
次に、蓄電モジュール４の構成について詳細に説明する。図３は、図１に示された蓄電モジュールの内部構成を示す概略断面図である。図３に示されるように、複数の蓄電モジュール４のそれぞれは、電極積層体１１と、電極積層体１１を封止する封止体１２と、を備えている。電極積層体１１は、複数のセパレータ１３と、複数のバイポーラ電極１４と、負極終端電極１８と、正極終端電極１９と、を有している。本実施形態では、電極積層体１１の積層方向はモジュール積層体２の積層方向Ｄ１と一致している。電極積層体１１は、積層方向Ｄ１に延びる側面１１ａを有している。
【００２４】
セパレータ１３は、例えばシート状に形成されている。セパレータ１３としては、ポリエチレン（ＰＥ）及びポリプロピレン（ＰＰ）等のポリオレフィン系樹脂からなる多孔質フィルム、並びに、ポリプロピレン及びメチルセルロース等からなる織布又は不織布等が例示される。セパレータ１３は、フッ化ビニリデン樹脂化合物で補強されていてもよい。セパレータ１３は、袋状であってもよい。
【００２５】
負極終端電極１８、複数のバイポーラ電極１４、及び正極終端電極１９（複数の電極）は、その順でセパレータ１３を介して積層方向Ｄ１に沿って積層されている。複数のバイポーラ電極１４のそれぞれは、電極板１５と、正極１６と、負極１７と、を含んでいる。電極板１５は、例えばニッケルからなる金属箔、又はニッケルメッキ鋼板からなり、矩形状を呈している。電極板１５は、上面１５ａと、上面１５ａと反対側の下面１５ｂと、を含む。電極板１５の周縁部１５ｃは、正極活物質及び負極活物質が塗工されていない未塗工領域である。
【００２６】
正極１６は、電極板１５の上面１５ａに設けられる。正極１６は、正極活物質が上面１５ａに塗工されることによって形成された正極活物質層である。正極１６を構成する正極活物質としては、例えば水酸化ニッケルが挙げられる。負極１７は、電極板１５の下面１５ｂに設けられる。負極１７は、負極活物質が下面１５ｂに塗工されることによって形成された負極活物質層である。負極１７を構成する負極活物質としては、例えば水素吸蔵合金が挙げられる。本実施形態では、電極板１５の下面１５ｂにおける負極１７の形成領域は、電極板１５の上面１５ａにおける正極１６の形成領域よりも一回り大きい。
【００２７】
電極積層体１１において、一のバイポーラ電極１４の正極１６は、セパレータ１３を挟んで積層方向Ｄ１に隣り合う一方のバイポーラ電極１４の負極１７と向かい合っている。電極積層体１１において、一のバイポーラ電極１４の負極１７は、セパレータ１３を挟んで積層方向Ｄ１に隣り合う他方のバイポーラ電極１４の正極１６と向かい合っている。
【００２８】
負極終端電極１８は、積層方向Ｄ１における電極積層体１１の一端１１ｂに配置されている。負極終端電極１８は、電極板１５と、電極板１５の下面１５ｂに設けられた負極１７とを含んでいる。負極終端電極１８の負極１７は、セパレータ１３を介して積層方向Ｄ１の一端に位置するバイポーラ電極１４の正極１６と向かい合っている。負極終端電極１８の電極板１５の上面１５ａには、蓄電モジュール４に隣接する一方の導電板５が接触している。
【００２９】
正極終端電極１９は、積層方向Ｄ１における電極積層体１１の一端１１ｂとは反対側の他端１１ｃに配置されている。正極終端電極１９は、電極板１５と、電極板１５の上面１５ａに設けられた正極１６とを含んでいる。正極終端電極１９の正極１６は、セパレータ１３を介して積層方向Ｄ１の他端に位置するバイポーラ電極１４の負極１７と向かい合っている。正極終端電極１９の電極板１５の下面１５ｂには、蓄電モジュール４に隣接する他方の導電板５が接触している。
【００３０】
封止体１２は、例えば矩形の筒状に形成されている。封止体１２は、絶縁性を有する樹脂材料により形成されている。封止体１２を構成する樹脂材料としては、例えばポリプロピレン（ＰＰ）、ポリフェニレンサルファイド（ＰＰＳ）、又は変性ポリフェニレンエーテル（変性ＰＰＥ）等が挙げられる。封止体１２は、電極積層体１１の周囲に設けられ、電極積層体１１内に内部空間Ｖを形成するとともに、内部空間Ｖを封止している。具体的には、封止体１２は、積層方向Ｄ１に延びる電極積層体１１の側面１１ａにおいて電極板１５の周縁部１５ｃを保持するとともに、側面１１ａを取り囲むように構成されている。封止体１２は、積層方向Ｄ１において互いに隣り合う２つのバイポーラ電極１４の間を封止している。
【００３１】
封止体１２は、複数の一次封止体２１と、二次封止体２２と、を有している。一次封止体２１は、電極板１５の周縁部１５ｃ（未塗工領域）において、電極板１５の全周（全辺）にわたって連続的に設けられている。二次封止体２２は、複数の一次封止体２１を外側から取り囲むように設けられている。二次封止体２２は、電極積層体１１及び複数の一次封止体２１の周囲に設けられ、蓄電モジュール４の外壁（筐体）を構成している。二次封止体２２は、樹脂の射出成形によって形成され、積層方向Ｄ１に沿って電極積層体１１の全長にわたって延在している。二次封止体２２は、積層方向Ｄ１を軸方向として延在する筒状（環状）を呈している。二次封止体２２は、例えば、射出成形時の熱によって一次封止体２１の外縁部側の端面に溶着（接合）されている。
【００３２】
二次封止体２２は、一次封止体２１とともに、積層方向Ｄ１において互いに隣り合う２つのバイポーラ電極１４の間、積層方向Ｄ１において互いに隣り合う負極終端電極１８とバイポーラ電極１４との間、及び、積層方向Ｄ１において互いに隣り合う正極終端電極１９とバイポーラ電極１４との間をそれぞれ封止している。これにより、２つのバイポーラ電極１４の間、負極終端電極１８とバイポーラ電極１４との間、及び、正極終端電極１９とバイポーラ電極１４との間には、それぞれ気密に仕切られた内部空間Ｖが形成されている。各内部空間Ｖには、例えば水酸化カリウム水溶液等のアルカリ水溶液からなる電解液（不図示）が収容されている。電解液は、セパレータ１３、正極１６及び負極１７内に含浸されている。
【００３３】
次に、図４〜図６をさらに参照して監視装置５０の構成について詳細に説明する。図４は、図１に示された蓄電装置の概略側面図である。図５は、図４のＶ−Ｖ線に沿った概略断面図である。図６は、図１に示された蓄電装置の回路構成を示す図である。
【００３４】
監視装置５０は、監視基板５１と、複数（本実施形態では、６つ）の接続部材５２と、電流センサユニット５３と、を備えている。
【００３５】
監視基板５１は、複数の蓄電モジュール４の状態を監視するための回路基板である。監視基板５１は、例えば、各蓄電モジュール４の端子電圧及び蓄電装置１に対して充放電される電流を監視する。端子電圧とは、正極終端電極１９と負極終端電極１８との間の電圧である。つまり、端子電圧は、正極終端電極１９の電位と負極終端電極１８の電位との電位差である。
【００３６】
監視基板５１は、配線基板部と、配線基板部に実装されている回路部品と、を有する。配線基板部に実装される回路部品としては、電圧監視ＩＣ（Integrated  Circuit）５９、ＣＰＵ（Central  Processing  Unit）６０、及びコンデンサ等が挙げられる。本実施形態では、複数の電圧監視ＩＣ５９が実装されており、各電圧監視ＩＣ５９は、電圧監視ＩＣ５９に対応付けられた蓄電モジュール４の端子電圧を監視する。複数の電圧監視ＩＣ５９は、複数の接続部材５２のそれぞれを介して、各蓄電モジュール４の正極終端電極１９の電位及び負極終端電極１８の電位を受け取って、蓄電モジュール４の端子電圧に関する信号をＣＰＵ６０に出力する。ＣＰＵ６０は、電流センサユニット５３から蓄電装置１の電流に関する信号を受信する。ＣＰＵ６０は、電流に関する信号、及び端子電圧に関する信号を、外部装置である上位ＥＣＵ（Electronic  Control  Unit）に送信する。
【００３７】
監視基板５１は、方向Ｄ２においてモジュール積層体２と隣り合うように設けられている。具体的には、監視基板５１は、モジュール積層体２の側面２ａに沿って設けられている。側面２ａは、積層方向Ｄ１及び方向Ｄ３に沿って延びる面である。監視基板５１は、蓄電装置１の外側を向く面５１ａと、面５１ａとは反対側の面５１ｂと、を有している。面５１ｂは、側面２ａと向かい合う。監視基板５１には、複数の貫通孔５１ｃと、貫通孔５１ｄと、が設けられている。貫通孔５１ｃ，５１ｄは、監視基板５１を方向Ｄ２に沿って貫通する孔である。貫通孔５１ｃには、後述する接続部材５２の端部５６が挿通される。貫通孔５１ｄには、後述する導電部材６４が挿通される。監視基板５１は、ボルト等の固定部材５４によって一対のエンドプレート８に固定されている。
【００３８】
複数の接続部材５２のそれぞれは、電圧監視用の部材であって、方向Ｄ２に沿って延びる金属製の導電部材である。複数の接続部材５２のそれぞれは、互いに異なる導電板５に設けられ、当該接続部材５２が設けられた導電板５と監視基板５１とを電気的に接続する。各接続部材５２によって、当該接続部材５２に対応する導電板５の電位が監視基板５１に伝達される。２つの蓄電モジュール４に挟持されている導電板５は、上側の蓄電モジュール４の正極終端電極１９及び下側の蓄電モジュール４の負極終端電極１８と接触しているので、導電板５の電位は上側の蓄電モジュール４の正極終端電極１９の電位及び下側の蓄電モジュール４の負極終端電極１８の電位と等しい。このように、複数の接続部材５２によって、各蓄電モジュール４の正極終端電極１９の電位及び負極終端電極１８の電位が監視基板５１に伝達される。
【００３９】
接続部材５２は、端部５５と、端部５６と、連結部５７と、を備えている。端部５５、端部５６、及び連結部５７は、一体的に形成されている。例えば、金属板を所定の形状に打ち抜くことで得られた基材に折り曲げ加工を施すことによって接続部材５２が形成される。端部５５は、導電板５に接続される部分である。端部５５は、ハーネス及びコネクタ等の他の部品を介することなく、導電板５に直接接続される。端部５５は、溝５ｂに嵌り合う形状を有している。より具体的には、端部５５は、壁部５ｃと壁部５ｄとが向かい合う方向（積層方向Ｄ１）に弾性変形可能な形状を有している。端部５５は、積層方向Ｄ１に押し縮められた状態で溝５ｂに挿入され、端部５５の弾性力によって壁部５ｃ及び壁部５ｄのそれぞれを押圧している。これにより、端部５５は、壁部５ｃ及び壁部５ｄに保持されている。なお、さらに保持強度を増すために、端部５５は、壁部５ｃ及び壁部５ｄの少なくともいずれかと超音波溶接及び抵抗溶接等で接合されてもよい。
【００４０】
端部５６は、監視基板５１に接続される部分である。端部５６は、ハーネス及びコネクタ等の他の部品を介することなく、監視基板５１に直接接続される。端部５６の一端は連結部５７の他端に接続され、端部５６の他端は監視基板５１に固定される。端部５６は、面５１ｂから面５１ａに向けて貫通孔５１ｃに挿通される。監視基板５１から突出した端部５６の先端部分は、面５１ａにおいてはんだ、プレスフィット構造、及びネジ（ボルト）締結等によって監視基板５１に接続（接合）されている。
【００４１】
連結部５７は、端部５５と端部５６とを連結する部分である。連結部５７は、屈曲部５８を有している。屈曲部５８は、応力緩和の観点から、方向Ｄ２とは異なる方向に曲がっている。屈曲部５８は、漏液による短絡防止の観点から、端部５５に近い部分よりも端部５６に近い部分が上方に位置するように曲がる部分を含んでいてもよい。言い換えると、屈曲部５８は、監視基板５１に向かうにつれて、当該接続部材５２の下に位置する他の接続部材５２から離れるように曲がる部分を含んでいてもよい。本実施形態では、屈曲部５８は、下方に突出する凸状の形状を有している。この屈曲部５８は、下方に突出するように、連結部５７をＶ字状に折り曲げることによって形成される。屈曲部５８は、方向Ｄ２においてモジュール積層体２と監視基板５１との間に位置する。本実施形態では、複数の接続部材５２の屈曲部５８は、同じ方向に曲がっている。
【００４２】
電流センサユニット５３は、蓄電装置１に対して充放電される電流を測定するためのユニットである。電流センサユニット５３は、シャント抵抗器６１と、バスバー６２と、基板部６３と、導電部材６４と、を備えている。
【００４３】
シャント抵抗器６１は、電流を測定するための抵抗器である。シャント抵抗器６１は、例えば、バスバー型のシャント抵抗器である。本実施形態では、シャント抵抗器６１は、監視基板５１の面５１ａと向かい合うように設けられる。シャント抵抗器６１は、面５１ａの法線方向（方向Ｄ２）において監視基板５１と重なり合うように配置されている。シャント抵抗器６１は、バスバー６２によって負極端子７に直列に接続されている。シャント抵抗器６１は、バスバー６２から下方に向けて延びている。シャント抵抗器６１は、電極部６５と、電極部６６と、抵抗体６７と、検出端子６８と、検出端子６９と、を備えている。
【００４４】
電極部６５，６６は、板状の金属部材である。電極部６５，６６には、バスバー等の他の配線部材と接続するための貫通孔６５ａ，６６ａが設けられている。電極部６５は、バスバー６２を介して負極端子７に接続され、電極部６６は、不図示のバスバーを介して蓄電装置１の出力端子に接続されている。抵抗体６７は、電極部６５と電極部６６との間に設けられる。電極部６５、抵抗体６７、及び電極部６６は、積層方向Ｄ１に沿ってその順に配列されている。抵抗体６７の方向Ｄ３における長さは、電極部６５の方向Ｄ３における長さ及び電極部６６の方向Ｄ３における長さよりも小さい。
【００４５】
検出端子６８，６９は、電圧検出用の端子である。検出端子６８，６９は、方向Ｄ２に沿って延びている。検出端子６８は、電極部６５に設けられ、抵抗体６７の近傍に配置されている。検出端子６８は、電極部６５から基板部６３に向けて延びている。検出端子６８は、抵抗体６７の一端の電位を基板部６３に伝達する。検出端子６９は、電極部６６に設けられ、抵抗体６７の近傍に配置されている。検出端子６９は、電極部６６から基板部６３に向けて延びている。検出端子６９は、抵抗体６７の他端の電位を基板部６３に伝達する。
【００４６】
バスバー６２は、負極端子７とシャント抵抗器６１（電極部６５）とを電気的に接続する板状の配線部材である。バスバー６２の一端は、締結部材７１によって負極端子７に締結されている。本実施形態では、負極端子７の先端部は、下方に折り曲げられている。この負極端子７の先端部にバスバー６２の一端が接続され、バスバー６２は負極端子７から方向Ｄ３に沿って監視基板５１の面５１ａ上まで延びている。バスバー６２の他端は、締結部材７２によって電極部６５に締結されている。これにより、シャント抵抗器６１は、負極端子７に直列に接続され、負極端子７を介して蓄電装置１を充放電する電流がシャント抵抗器６１に流れる。
【００４７】
例えば、蓄電装置１から電流が外部装置に供給される場合、不図示のバスバーを介して電流が電極部６６に流れ込む。そして、電極部６６に流れ込んだ電流が、抵抗体６７を通過し、電極部６５からバスバー６２を介して負極端子７からモジュール積層体２に戻る。このとき、抵抗体６７に電流が流れることによって、抵抗体６７の両端に電位差が生じる。抵抗体６７の一端の電位が検出端子６８によって基板部６３に伝達され、抵抗体６７の他端の電位が検出端子６９によって基板部６３に伝達される。
【００４８】
基板部６３は、電流測定専用の配線基板である。基板部６３は、監視基板５１の面５１ａの法線方向（方向Ｄ２）において監視基板５１と重なり合うように配置されている。本実施形態では、基板部６３は、方向Ｄ２において、シャント抵抗器６１と監視基板５１との間に位置する。基板部６３は、シャント抵抗器６１と向かい合う面６３ａと、面６３ａと反対側の面であって面５１ａと向かい合う面６３ｂと、を有している。基板部６３には、貫通孔６３ｃと、貫通孔６３ｄと、貫通孔６３ｅと、が設けられている。
【００４９】
貫通孔６３ｃ，６３ｄ，６３ｅは、基板部６３を方向Ｄ２に沿って貫通する孔である。貫通孔６３ｃ，６３ｄには、検出端子６８，６９がそれぞれ面６３ａから面６３ｂに向けて挿通され、基板部６３から突出した検出端子６８，６９の先端部分が面６３ｂにおいてはんだ等によって基板部６３に接続（接合）されている。
【００５０】
基板部６３には、差動増幅回路７０が搭載されている。差動増幅回路７０は、電流検出用のアンプであり、シャント抵抗器６１（抵抗体６７）の両端の電位差を検出する。差動増幅回路７０は、例えば、面６３ｂに実装されている。差動増幅回路７０の反転入力端子には、検出端子６８によって伝達された電位が入力される。差動増幅回路７０の非反転入力端子には、検出端子６９によって伝達された電位が入力される。これにより、差動増幅回路７０は、抵抗体６７の両端の電位差（電圧降下）を検出し、電位差を増幅することによって得られた出力信号を出力端子から出力する。つまり、差動増幅回路７０の出力信号は、抵抗体６７の両端の電位差に応じた信号である。
【００５１】
導電部材６４は、差動増幅回路７０の出力信号を監視基板５１に伝達する部材である。導電部材６４は、金属製の柱状部材である。導電部材６４は、基板部６３と監視基板５１とを電気的に接続するとともに、基板部６３を支持している。導電部材６４は、方向Ｄ２に沿って延びている。導電部材６４は、方向Ｄ２における端部６４ａ（第１端部）及び端部６４ｂ（第２端部）を有している。端部６４ａは、基板部６３に接合されている。端部６４ａは、面６３ｂから面６３ａに向けて貫通孔６３ｅに挿通される。基板部６３から突出した端部６４ａの先端部分は、面６３ａにおいてはんだ等によって基板部６３に接続（接合）されている。端部６４ａは、ボルト等を用いて基板部６３に締結されてもよい。端部６４ｂは、監視基板５１に接合されている。端部６４ｂは、面５１ａから面５１ｂに向けて貫通孔５１ｄに挿通される。監視基板５１から突出した端部６４ｂの先端部分は、面５１ｂにおいてはんだ等によって監視基板５１に接続（接合）されている。端部６４ｂは、ボルト等を用いて監視基板５１に締結されてもよい。導電部材６４によって差動増幅回路７０の出力信号が監視基板５１に伝達され、ＣＰＵ６０に供給される。
【００５２】
以上説明したように、蓄電装置１では、シャント抵抗器６１の抵抗体６７の両端の電位差を検出する差動増幅回路７０が基板部６３に搭載され、差動増幅回路７０の出力信号が監視基板５１に伝達される。このように、シャント抵抗器６１は基板部６３に接続され、監視基板５１にはシャント抵抗器６１が直接接続されない。このため、シャント抵抗器６１と監視基板５１との間の伝熱経路が長くなるので、シャント抵抗器６１で発生した熱が監視基板５１に及ぼす影響を低減することができる。その結果、蓄電装置１の信頼性を向上させることが可能となる。
【００５３】
基板部６３は、監視基板５１の面５１ａの法線方向（方向Ｄ２）において監視基板５１と重なり合うように配置されている。この配置により、基板部６３と監視基板５１とが、コネクタ等を用いることなく導電部材６４により直接接続される。このため、コネクタ等の部品が不要となるので、蓄電装置１を小型化することが可能となる。
【００５４】
シャント抵抗器６１と負極端子７とがバスバー６２によって接続されている。これにより、電流センサユニット５３が負極端子７に固定されるので、電流センサユニット５３の設置の安定性を向上させることができる。また、バスバー６２の長さ及び形状を調整することで、シャント抵抗器６１の配置を変えることができる。これにより、蓄電装置１の設計の自由度を高めることができる。例えば、図７に示されるように、バスバー６２は負極端子７から積層方向Ｄ１に沿って下方に延びていてもよい。この場合、シャント抵抗器６１及び基板部６３を負極端子７から離れた位置に配置することができる。
【００５５】
例えば、監視基板５１が基板部６３の回路構成を含んで一体的に形成されている場合、シャント抵抗器６１の配置を変えるためには、監視基板５１の形状、監視基板５１の配線パターン、及び貫通孔６３ｃ，６３ｄの位置を変更する必要がある。これに対し、蓄電装置１では、監視基板５１と基板部６３とが別体であるので、監視基板５１の配線パターンと貫通孔５１ｄの位置とを変更するだけでシャント抵抗器６１の配置を変更することができる。
【００５６】
監視基板５１は、方向Ｄ２においてモジュール積層体２と隣り合うように配置されるとともに、拘束部材３（エンドプレート８）に固定されている。このため、負極端子７とシャント抵抗器６１との距離を短くすることができる。また、差動増幅回路７０（基板部６３）と監視基板５１とを接続する導電部材６４を短くすることができる。これにより、蓄電装置１を小型化することが可能となる。
【００５７】
以上、本発明の一実施形態について詳細に説明されたが、本発明は上記実施形態に限定されない。
【００５８】
例えば、モジュール積層体２に含まれる蓄電モジュール４の積層数は、適宜変更され得る。蓄電装置１は、モジュール積層体２に代えて、１つの蓄電モジュール４を備えてもよい。
【００５９】
複数の蓄電モジュール４は、並列に接続されてもよい。導電板５には、流路５ａが設けられていなくてもよい。
【００６０】
シャント抵抗器６１は、正極端子６に直列に接続されていてもよい。
【００６１】
電極部６５、抵抗体６７、及び電極部６６は、方向Ｄ３に沿ってその順に配列されていてもよい。また、負極端子７と電極部６５とがバスバー６２を介することなく直接接続されてもよい。この構成では、バスバー６２が省略され得る。
【００６２】
図７に示されるように、シャント抵抗器６１は、監視基板５１と方向Ｄ２において重なっていなくてもよい。また、基板部６３は、方向Ｄ２において、シャント抵抗器６１と監視基板５１との間に設けられなくてもよい。検出端子６８，６９が方向Ｄ２において監視基板５１とは反対側に突出するようにシャント抵抗器６１が設けられてもよい。
【符号の説明】
【００６３】
１…蓄電装置、２…モジュール積層体、３…拘束部材、４…蓄電モジュール、６…正極端子、７…負極端子、８…エンドプレート、５１…監視基板、５１ａ…面、５３…電流センサユニット、６１…シャント抵抗器、６２…バスバー、６３…基板部、６４…導電部材、６４ａ…端部（第１端部）、６４ｂ…端部（第２端部）、７０…差動増幅回路、Ｄ１…積層方向（第１方向）、Ｄ２…方向（第２方向）。
【図１】
2020161340.tif 000003
【図２】
2020161340.tif 000004
【図３】
2020161340.tif 000005
【図４】
2020161340.tif 000006
【図５】
2020161340.tif 000007
【図６】
2020161340.tif 000008
【図７】
2020161340.tif 000009